【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
加工用電極と被加工物との間に形成される加工間隙に直流電源から放電加工用のパルス電流を供給するため前記直流電源と前記加工間隙との間に直列接続されるようにして放電加工用電源装置に設けられゲートパルス信号によってオン、オフ制御される複数のスイッチング素子の作動状態に不具合が生じたか否かを検出するための方法であって、
前記スイッチング素子の夫々に導通状態にあることを示す電気的信号を得るためのチェック用直流電圧を印加しておき、前記ゲートパルス信号が前記スイッチング素子をオフ制御する状態にあるときの前記電気的信号の状態から前記スイッチング素子の良否を判定するようにしたことを特徴とする放電加工用電源装置における障害検知方法。
【請求項２】
直流電源と、複数のスイッチング回路が並列に接続されて成り、加工用電極と被加工物との間に形成される加工間隙と該直流電源との間に直列接続されるスイッチングユニットと、前記加工間隙に放電加工用のパルス電圧を間歇的に供給するため前記複数のスイッチング回路にオン、オフ制御のためのゲートパルス信号を与える制御ユニットとを備えて成る放電加工用電源装置において、前記複数のスイッチング回路の夫々の作動状態を示す検出信号を得るための検出回路と、前記検出信号と前記ゲートパルス信号とに応答し前記スイッチング回路がオフ制御状態にあるときの対応する検出信号の状態から前記スイッチング回路の夫々の良否を判定する良否判定回路と、該良否判定回路の出力に応答して前記スイッチングユニットの不良部位に関する表示を行う表示部とを備えたことを特徴とする放電加工用電源装置。
【請求項３】
直流電源と、並列的に接続される複数のスイッチング素子を含んで成り加工用電極と被加工物との間に形成される加工間隙と該直流電源との間に直列接続されるスイッチング回路と、前記加工間隙に放電加工用のパルス電圧を間歇的に供給するため前記スイッチング素子にオン、オフ制御のためのゲートパルス信号を選択的に与えることができる制御ユニットとを備えて成る放電加工用電源装置において、前記複数のスイッチング素子の夫々の作動状態を示す検出信号を得るための検出回路と、前記検出信号と前記ゲートパルス信号とに応答し前記スイッチング素子がオフ制御状態にあるときの対応する検出信号の状態から前記スイッチング素子の夫々の良否を判定する良否判定回路と、該良否判定回路の出力に応答して前記複数のスイッチング素子のそれぞれの良否に関する表示を行う表示部とを備えたことを特徴とする放電加工用電源装置。
【請求項４】
直流電源と、複数のスイッチング回路が並列に接続されて成り加工用電極と被加工物との間に形成される加工間隙と該直流電源との間に直列に接続されるスイッチングユニットと、前記加工間隙に放電加工用のパルス電圧を間歇的に供給するため前記複数のスイッチング回路にオン、オフ制御のためのゲートパルス信号を与える制御ユニットとを備えて成り、前記複数のスイッチング回路が、それぞれ、並列的に接続される複数の半導体スイッチ素子を含んで構成され、前記複数の半導体スイッチを対応するスイッチング回路から選択的に切り離すスイッチを設けた放電加工用電源装置において、前記複数のスイッチング回路の夫々の作動状態を示す検出信号を得るための検出回路と、前記検出信号と前記ゲートパルス信号とに応答し前記スイッチング回路がオフ制御状態にあるときの対応する検出信号の状態から前記スイッチング回路の夫々の良否を判定する良否判定回路と、該良否判定回路の出力に応答して前記スイッチング回路の不良部位に関する表示を行う表示部とを備えたことを特徴とする放電加工用電源装置。
【請求項５】
直流電源と、加工用電極と被加工物との間に形成される加工間隙と該直流電源との間に直列接続される複数のスイッチング素子と、前記加工間隙に放電加工用のパルス電圧を間歇的に供給するため前記スイッチング素子にオン、オフ制御のためのゲートパルス信号を与える制御ユニットとを備えて成る放電加工用電源装置において、前記複数スイッチング素子が、複数スイッチング素子からなるスイッチング回路ユニットを構成され、該夫々のスイッチング回路ユニットと前記直流電源との間に直列接続された遮断スイッチ素子と、前記スイッチング回路ユニットの夫々の作動状態を示す検出信号を得るための検出回路と、前記検出信号と前記ゲートパルス信号とに応答し前記スイッチング素子がオフ制御状態にあるときの対応する検出信号の状態から前記スイッチング回路ユニットの夫々の良否を判定する良否判定回路と、該良否判定回路に応答し不良と判定されたスイッチング回路ユニットに接続されている前記遮断スイッチ素子をオフとする遮断制御回路とを備えたことを特徴とする放電加工用電源装置。
【請求項６】
直流電源と、加工用電極と被加工物との間に形成される加工間隙と該直流電源との間に直列接続される複数のスイッチング素子と、前記加工間隙に放電加工用のパルス電圧を間歇的に供給するため前記スイッチング素子にオン、オフ制御のためのゲートパルス信号を与える制御ユニットとを備えて成る放電加工用電源装置において、前記直流電源と前記夫々の複数のスイッチング素子との間に直列接続された遮断スイッチ素子と、前記複数のスイッチング素子の夫々の作動状態を示す検出信号を得るための検出回路と、前記検出信号と前記ゲートパルス信号とに応答し前記スイッチング素子がオフ制御状態にあるときの対応する検出信号の状態から前記スイッチング素子の夫々の良否を判定する良否判定回路と、該良否判定回路に応答し不良と判定されたスイッチング素子に接続されている前記遮断スイッチ素子をオフとする遮断制御回路とを備えたことを特徴とする放電加工用電源装置。
【請求項７】
前記遮断スイッチ素子をオフとする遮断制御回路が、前記良否判定回路に応答し不良回路を遮断すると共に他の未使用回路に切替制御することを特徴とする請求項５又は６記載の放電加工用電源装置。
【請求項８】
加工用電極と被加工物との間に形成される加工間隙に直流電源から放電加工用のパルス電流を供給するため前記直流電源と前記加工間隙との間に直列接続されるようにして放電加工用電源装置に設けられゲートパルス信号によってオン、オフ制御される複数のスイッチング素子の作動状態に応じて前記放電加工用電源装置を制御する方法であって、前記スイッチング素子の夫々に導通状態にあることを示す電流信号を得るためのチェック用直流電圧を印加しておき、前記ゲートパルス信号が前記スイッチング素子をオフ制御する状態にあるときの前記電流信号の有無から前記スイッチング素子の良否を判定し、動作不良と判定されたスイッチング素子を示す情報を表示装置に出力し、不良スイッチング素子の異常を表示するようにしたことを特徴とする放電加工用電源装置の制御方法。
【請求項９】
加工用電極と被加工物との間に形成される加工間隙に直流電源から放電加工用のパルス電流を供給するため前記直流電源と前記加工間隙との間に直列接続されるようにして放電加工用電源装置に設けられゲートパルス信号によってオン、オフ制御される複数のスイッチング素子の作動状態に応じて前記放電加工用電源装置を制御する方法であって、前記スイッチング素子の夫々に導通状態にあることを示す電流信号を得るためのチェック用直流電圧を印加しておき、前記ゲートパルス信号が前記スイッチング素子をオフ制御する状態にあるときの前記電流信号の有無から前記スイッチング素子の良否を判定し、動作不良と判定されたスイッチング素子を前記直流電源から切り離すようにしたことを特徴とする放電加工用電源装置の制御方法。
【請求項１０】
加工用電極と被加工物との間に形成される加工間隙に直流電源から放電加工用のパルス電流を供給するため前記直流電源と前記加工間隙との間に直列接続されるようにして放電加工用電源装置に設けられゲートパルス信号によってオン、オフ制御される複数のスイッチング素子の作動状態に応じて前記放電加工用電源装置を制御する方法であって、前記スイッチング素子の夫々に導通状態にあることを示す電流信号を得るためのチェック用直流電圧を印加しておき、前記ゲートパルス信号が前記スイッチング素子をオフ制御する状態にあるときの前記電流信号の有無から前記スイッチング素子の良否を判定し、動作不良と判定されたスイッチング素子を前記直流電源から切り離すと共に、未使用状態にあるスイッチング素子から加工電流の供給を行うようにしたことを特徴とする放電加工用電源装置の制御方法。